(57)【要約】【課題】  通信用鉄塔の塗装工事に用いられる、設置や解体が容易にできる吊り足場と養生ネットを設置する装置を提供する。【解決手段】  上側支持部と下側支持部とを有する通信用鉄塔のアンテナ支持部に設置される吊り足場および養生ネットを設置する装置であって、上側支持部を構成する部材の上面に設置される上側水平材と、上側水平材の両端部付近に各々接続される一対の垂直材と、前記一対の垂直材の上側水平材に接続されていない側の端部同士を接続するように設置される下側水平材とを有する複数の吊り足場用フレームと、複数の吊り足場用フレームを上側水平材と垂直材の接続部付近で接続する上側接続部材と、複数の吊り足場用フレームを垂直材と下側水平材の接続部付近で接続する下側接続部材と、下側接続部材を介して設置される床材と、略筒状の養生ネットを通信用鉄塔の周囲に設置する装置とで構成されている。【選択図】図５
2016089601.tif 000002
【特許請求の範囲】
【請求項１】
通信用鉄塔に複数のアンテナ支持柱を立設固定するための、上側支持部と下側支持部とを有するアンテナ支持部に設置される吊り足場および養生ネットを設置する装置であって、
アンテナ支持部の上側支持部を構成する部材の上面に設置され、両端が上側支持部から水平方向に突出する長さに形成されている上側水平材と、
前記上側水平材の両端部付近に各々接続されて、上側水平材に対して鉛直方向に配置され、上側水平材に接続されていない側の端部がアンテナ支持部の下側支持部より下方に突出する長さに形成されている一対の垂直材と、
前記一対の垂直材の上側水平材に接続されていない側の端部同士を接続するように設置される下側水平材と、
を有する複数の吊り足場用フレームと、
前記複数の吊り足場用フレームを各吊り足場用フレームの上側水平材と垂直材の接続部付近で接続する上側接続部材と、
前記複数の吊り足場用フレームを各吊り足場用フレームの垂直材と下側水平材の接続部付近で接続する下側接続部材と、
下側接続部材を介して設置される床材と、
略筒状の養生ネットを通信用鉄塔の周囲に設置する装置と、
で構成されていることを特徴とする通信用鉄塔の塗装工事に用いられる吊り足場および養生ネット設置装置。
【請求項２】
請求項１に記載の略筒状の養生ネットを通信用鉄塔の周囲に設置する装置は、
通信用鉄塔の周囲に設置される略筒状の養生ネットと、
アンテナ支持部の上側支持部を構成する部材の上面に設置され、両端が上側支持部から水平方向に突出する長さに形成されている養生ネット用水平材と、
養生ネット用水平材の両端に設置される滑車と、
通信用鉄塔の基部付近に設置されるウインチと、
を有しており、
前記養生ネットの上端部にはワイヤーが固定されていること、
前記ワイヤーは養生ネット用水平材の両端に設置されている滑車を介してウインチに巻き付けられていること、
前記ワイヤーをウインチにより引き出しまたは巻き取りすることで、養生ネットを通信用鉄塔に沿って昇降自在に設けたこと、
を特徴とする通信用鉄塔の塗装工事に用いられる吊り足場および養生ネット設置装置。
【発明の詳細な説明】
【技術分野】
【０００１】  本発明は、通信用鉄塔の塗装工事において、作業者が乗る作業用足場と、ケレン屑や塗料の飛沫が周辺に飛散するのを防ぐための養生ネットを設置する装置に関するものである。
【背景技術】
【０００２】  一般に通信用鉄塔は、地上もしくは建物の屋上から縦方向に沿って立設される鉄塔本体と、鉄塔本体から横方向に突出するアンテナ支持部とを備えている。前記鉄塔本体の構造としては、トラス構造、ラーメン構造または単柱構造がある。【０００３】  前記トラス構造の鉄塔本体は、縦方向に沿って配置され、鉄塔本体の上端まで延びる複数の主柱材と、横方向に配置され、主柱材同士を連結する複数の水平材と、主柱材や水平材と傾斜するように配置される複数の斜材とを備えている。【０００４】  前記ラーメン構造の鉄塔本体は、縦方向に沿って配置され、鉄塔本体の上端まで延びる複数の主柱材と、横方向に配置され、主柱材同士を連結する複数の水平材とを備えている。【０００５】  前記単柱構造の鉄塔本体は、両端にフランジ部を有する円筒状の鋼管を複数連設し、縦方向に沿って配置される各鋼管がフランジ部同士をボルトナットで接合されて構成されている。【０００６】  前記アンテナ支持部の構造は、一般に図１および図２に示すようなアーム方式と、図３および図４に示すようなリング方式とが採用されている。なお、図１から図４のアンテナ支持部の構造例において、鉄塔本体は単柱構造の場合を示しているが、鉄塔本体がトラス構造およびラーメン構造の場合においても、アンテナ支持部の構造はアーム方式またはリング方式が採用されている。【０００７】  前記アーム方式のアンテナ支持部１２０は、図１に示すように、鉄塔本体１１０の上部に複数のアンテナ支持柱１０２を立設固定するための上側支持部１２１と下側支持部１２２とで構成されている。この上側支持部１２１および下側支持部１２２は、図２に示すように、Ｈ形鋼，山形鋼または溝形鋼からなる一対の腕金主材１２３，１２３を鉄塔本体１１０から横方向に突出させるようにして配置して、鉄塔本体１１０を構成する鋼管１１１の外周に固定されているアーム固定材１２４にボルトナットで固定されるとともに、一対の腕金主材１２３，１２３を連結するようにして、一対の腕金主材１２３，１２３の先端部に支持柱取付用ブラケット１２５が取り付けられて構成されている。また、前記支持柱取付用ブラケット１２５を介してアンテナ支持柱１０２が立設固定される。なお、図示していないが、通信用のアンテナは前記アンテナ支持柱１０２に設置される。【０００８】  前記リング方式のアンテナ支持部１３０は、図３に示すように、鉄塔本体１１０の上部に複数のアンテナ支持柱１０２を立設固定するための上側支持部１３１と下側支持部１３２とで構成されている。この上側支持部１３１および下側支持部１３２は、図４に示すように、Ｈ形鋼，山形鋼または溝形鋼からなる接続部材１３３を鉄塔本体１１０の外周に放射状に配置して、鉄塔本体１１０を構成する鋼管１１１の外周に固定されているリング固定材１３４にボルトナットで固定されるとともに、接続部材１３３の先端部を円形に形成したリング部材１３５で連結して構成されている。また、上側支持部１３１および下側支持部１３２のリング部材１３５には支持柱取付用ブラケット１３６が取り付けられており、この支持柱取付用ブラケット１３６を介してアンテナ支持柱１０２が立設固定される。なお、図示していないが、通信用のアンテ���は前記アンテナ支持柱１０２に設置される。【０００９】  通信用鉄塔の構成部材の表面には、防錆や周辺環境との調和のために、溶融亜鉛めっき処理や塗装などの表面処理が施されているが、これらの表面処理は経年により劣化するため、定期的に補修塗装を施している。通信用鉄塔の塗装工事では、ケレン屑や塗料の飛沫が周辺に飛散するのを防ぐために、養生ネットで通信用鉄塔を囲った状態で塗装工事が行われている。養生ネットを通信用鉄塔の周囲に設置する方法として、従来は通信用鉄塔の周囲に鋼管等からなる組立足場を地上もしくは建物の屋上より組み立て、金具や紐を用いて前記組立足場に養生ネットを取り付ける方法が採られていた。【００１０】  従来の組立足場では、鋼管等からなる組立足場を地上もしくは建物の屋上より組み立てるため、数多くの鋼管等の部材を必要とし、部材の搬入，組立足場の組み立ておよび解体撤去に手間がかかるという問題があった。また、養生ネットを金具や紐を用いて組立足場に取り付けるため、養生ネットの取り付けおよび取り外しに手間がかかるという問題もあった。【００１１】  そのため、地上もしくは建物の屋上から組み立てる組立足場ではなく、吊り足場を用いる方法が採用されている。例えば、アンテナ支持部がリング方式のトラス構造鉄塔において、板状体の中央部に鉄塔の基部が入る大きさの開口部を有し、作業者が当該板状体の上を歩行可能な足場を設け、当該足場を、中央部の開口部に鉄塔の基部を入れて設置し、当該足場をアンテナ支持部から垂下した三本以上の線状体に支持させ、当該線状体を巻き上げまたは繰り出す手段を設け、これらの線状体の長さを変化させることにより上記足場を昇降自在とし、当該足場の外周縁または下面から当該鉄塔を略囲繞する大きさの略筒状の養生ネットを当該鉄塔に沿って垂下させる方法が提案されている（例えば、特許文献１参照。）。
【先行技術文献】
【特許文献】
【００１２】
【特許文献１】実用新案登録第３１２２９３５号公報
【発明の概要】
【発明が解決しようとする課題】
【００１３】  しかしながら、アンテナ支持部がリング方式のトラス構造鉄塔で採用されている従来の吊り足場の場合、吊り足場自体を昇降させるために大型のウインチやワイヤー等の昇降設備が必要となり、さらに養生ネットを昇降させるためのウインチやワイヤー等の昇降設備も必要となることから、昇降設備が大掛かりで複雑となり、吊り足場の設置や解体に手間がかかるという問題があった。【００１４】  また、アンテナ支持部がリング方式のトラス構造鉄塔で採用されている従来の吊り足場は、鉄塔本体の下部で組み立てられて、昇降設備によりアンテナ支持部の直ぐ下の位置まで上昇させて設置されるため、塔体幅が鉄塔本体の上部より下部の方が広くなるトラス構造鉄塔またはラーメン構造鉄塔の場合、吊り足場の幅を下部の塔体幅よりも広くする必要がある。したがって、吊り足場の面積が大きくなることから、吊り足場を構成する部材の数が多くなり、さらに部材サイズも大きくなるため、吊り足場の設置や解体に手間がかかるという問題があった。【００１５】  また、アンテナ支持部がリング方式のトラス構造鉄塔で採用されている従来の吊り足場を、アーム方式またはリング方式のアンテナ支持部が複数段設置されている通信用鉄塔に適用した場合、吊り足場は、鉄塔本体の下部で組み立てられて、昇降設備により下段のアンテナ支持部の直ぐ下の位置まで上昇させて設置されるため、下段のアンテナ支持部を解体し撤去しない限り、下段のアンテナ支持部より上方には吊り足場を設置することができないという問題があった。【００１６】  そこで、本発明の課題は、吊り足場を昇降させることなく、通信用鉄塔のアンテナ支持部に直接設置する構造とすることで、吊り足場を昇降させるための昇降設備を不要とし、吊り足場の設置や解体が容易にできる吊り足場を提供することにある。【００１７】  また、アーム方式またはリング方式のアンテナ支持部が複数段設置されている通信用鉄塔においても、下段のアンテナ支持部を解体し撤去することなく、下段のアンテナ支持部よりも上方に設置することができる吊り足場を提供することにある。【００１８】  また、本発明の吊り足場を使用する場合において、通信用鉄塔の周囲に設置する養生ネットを任意の高さに容易に設置することができる養生ネットの設置装置を提供することにある。
【課題を解決するための手段】
【００１９】  上記の課題を解決するため、本発明の通信用鉄塔の塗装工事に用いられる吊り足場および養生ネット設置装置は、通信用鉄塔に複数のアンテナ支持柱を立設固定するための、上側支持部と下側支持部とを有するアンテナ支持部に設置される吊り足場および養生ネットを設置する装置であって、アンテナ支持部の上側支持部を構成する部材の上面に設置され、両端が上側支持部から水平方向に突出する長さに形成されている上側水平材と、前記上側水平材の両端部付近に各々接続されて、上側水平材に対して鉛直方向に配置され、上側水平材に接続されていない側の端部がアンテナ支持部の下側支持部より下方に突出する長さに形成されている一対の垂直材と、前記一対の垂直材の上側水平材に接続されていない側の端部同士を接続するように設置される下側水平材とを有する複数の吊り足場用フレームと、前記複数の吊り足場用フレームを各吊り足場用フレームの上側水平材と垂直材の接続部付近で接続する上側接続部材と、前記複数の吊り足場用フレームを各吊り足場用フレームの垂直材と下側水平材の接続部付近で接続する下側接続部材と、下側接続部材を介して設置される床材と、略筒状の養生ネットを通信用鉄塔の周囲に設置する装置とで構成されていることを特徴としている。【００２０】  また、略筒状の養生ネットを通信用鉄塔の周囲に設置する装置は、通信用鉄塔の周囲に設置される略筒状の養生ネットと、アンテナ支持部の上側支持部を構成する部材の上面に設置され、両端が上側支持部から水平方向に突出する長さに形成されている養生ネット用水平材と、養生ネット用水平材の両端に設置される滑車と、通信用鉄塔の基部付近に設置されるウインチとを有しており、前記養生ネットの上端部にはワイヤーが固定されていること、前記ワイヤーは養生ネット用水平材の両端に設置されている滑車を介してウインチに巻き付けられていること、前記ワイヤーをウインチにより引き出しまたは巻き取りすることで、養生ネットを通信用鉄塔に沿って昇降自在に設けたことを特徴としている。
【発明の効果】
【００２１】  本発明の通信用鉄塔の塗装工事に用いられる吊り足場および養生ネット設置装置によれば、吊り足場を通信用鉄塔のアンテナ支持部に直接設置するため、通信用鉄塔の下部で組み立てられた吊り足場をアンテナ支持部の直ぐ下の位置まで上昇させる必要がなく、吊り足場自体を昇降させるための大型のウインチやワイヤー等の昇降設備が不要となり、養生ネットを昇降させるためのウインチやワイヤー等の昇降設備だけとなることから、昇降設備が大掛かりとならず、吊り足場の設置や解体に手間がかからず容易に行うことができる。【００２２】  また、通信用鉄塔の下部で組み立てられた吊り足場をアンテナ支持部の直ぐ下の位置まで上昇させて設置するのではなく、吊り足場を通信用鉄塔のアンテナ支持部に直接設置することから、吊り足場の幅を通信用鉄塔の下部の塔体幅よりも広くする必要がないため、吊り足場を構成する部材の数が多くなったり、部材サイズが大きくなることがなく、吊り足場の設置や解体に手間がかからず容易に行うことができる。【００２３】  また、吊り足場を通信用鉄塔のアンテナ支持部に直接設置するため、アーム方式またはリング方式のアンテナ支持部が複数段設置されている通信用鉄塔においても、アンテナ支持部を解体し撤去することなく、下段のアンテナ支持部よりも上方のアンテナ支持部に吊り足場を設置することができる。【００２４】  また、養生ネットの上端部にはワイヤーが固定され、前記ワイヤーは養生ネット用水平材の両端に設置されている滑車を介してウインチに巻き付けられており、前記ワイヤーをウインチにより引き出しまたは巻き取りすることで、養生ネットを通信用鉄塔に沿って昇降自在に設けているので、養生ネットを通信用鉄塔に対して任意の高さに容易に設置することができる。【００２５】  さらに、養生ネットは、吊り足場の外周縁または下面から垂下するのではなく、通信用鉄塔のアンテナ支持部に取り付けられた養生ネット用水平材から垂下するようにしたから、養生ネットの外径に合わせて吊り足場の幅を設定する必要はなく、養生ネットの外径に合わせて養生ネット用水平材の長さを設定すればよい。したがって、養生ネットの外径に合わせて吊り足場の幅を大きくする必要がないことから、吊り足場を構成する部材の数が多くなったり、部材サイズが大きくなることがないため、吊り足場の設置や解体に手間がかからず容易に行うことができる。
【図面の簡単な説明】
【００２６】
【図１】単柱構造鉄塔のアーム方式のアンテナ支持部の一例を示す正面図である。
【図２】単柱構造鉄塔のアーム方式のアンテナ支持部の一例を示す上面図である。
【図３】単柱構造鉄塔のリング方式のアンテナ支持部の一例を示す正面図である。
【図４】単柱構造鉄塔のリング方式のアンテナ支持部の一例を示す上面図である。
【図５】アンテナ支持部がアーム方式の単柱構造鉄塔に設置された吊り足場の一例を示す正面図である。
【図６】アンテナ支持部がアーム方式の単柱構造鉄塔に設置された吊り足場の一例を示す上面図である。
【図７】図６のＢ−Ｂ線から見た吊り足場用フレームの正面図である。
【図８】図５のＡ−Ａ線から見た吊り足場の平面図である。
【図９】図８の吊り足場平面への床材の設置状態を示す平面図である。
【図１０】床材の斜視図である。
【図１１】略筒状の養生ネットをアンテナ支持部がアーム方式の単柱構造鉄塔の周囲に設置する装置の一例を示す上面図である。
【図１２】図１１のＣ−Ｃ線から見た養生ネット用水平材の正面図である。
【図１３】図１１のＣ−Ｃ線から見た養生ネットの設置状態を示す正面図である。
【図１４】図１１のＤ−Ｄ線から見た養生ネットの設置状態を示す正面図である。
【図１５】アンテナ支持部がリング方式の単柱構造鉄塔に設置された吊り足場の一例を示す正面図である。
【図１６】アンテナ支持部がリング方式の単柱構造鉄塔に設置された吊り足場の一例を示す上面図である。
【図１７】図１６のＦ−Ｆ線から見た吊り足場用フレームの正面図である。
【図１８】図１５のＥ−Ｅ線から見た吊り足場の平面図である。
【図１９】図１８の吊り足場平面への床材の設置状態を示す平面図である。
【図２０】略筒状の養生ネットをアンテナ支持部がリング方式の単柱構造鉄塔の周囲に設置する装置の一例を示す上面図である。
【図２１】図２０のＧ−Ｇ線から見た養生ネット用水平材の正面図である。
【図２２】図２０のＧ−Ｇ線から見た養生ネットの設置状態を示す正面図である。
【図２３】図２０のＨ−Ｈ線から見た養生ネットの設置状態を示す正面図である。
【図２４】リング方式のアンテナ支持部が２段設置されているトラス構造鉄塔への吊り足場および養生ネットの設置状態を示す正面図である。
【発明を実施するための形態】
【００２７】  以下、本発明の実施形態を、添付の図面を参照しながら詳細に説明する。
【００２８】  一般に通信用鉄塔は、地上もしくは建物の屋上から縦方向に沿って立設される鉄塔本体と、鉄塔本体から横方向に突出するアンテナ支持部とを備えている。前記鉄塔本体の構造としては、トラス構造、ラーメン構造または単柱構造がある。
【００２９】  前記アンテナ支持部の構造は、一般にアーム方式とリング方式とが採用されている。アンテナ支持部の構造例として、図１に単柱構造鉄塔のアーム方式のアンテナ支持部の一例を示す正面図、図２に単柱構造鉄塔のアーム方式のアンテナ支持部の一例を示す上面図、図３に単柱構造鉄塔のリング方式のアンテナ支持部の一例を示す正面図、図４に単柱構造鉄塔のリング方式のアンテナ支持部の一例を示す上面図を示す。なお、図１から図４のアンテナ支持部の構造例において、鉄塔本体は単柱構造の場合を示しているが、鉄塔本体がトラス構造およびラーメン構造の場合においても、アンテナ支持部の構造はリング方式またはアーム方式が採用されている。
【００３０】  まず、図１および図２に示す単柱構造鉄塔のアーム方式のアンテナ支持部について説明する。単柱構造鉄塔１００は、地上もしくは建物の屋上から縦方向に沿って立設される鉄塔本体１１０と、鉄塔本体１１０から横方向に突出するアンテナ支持部１２０とを備えている。鉄塔本体１１０は、両端にフランジ部１１２を有する円筒状の鋼管１１１を複数連設し、縦方向に沿って配置される各鋼管１１１がフランジ部同士１１２，１１２をボルトナットで接合されて構成されている。
【００３１】  前記アーム方式のアンテナ支持部１２０は、図１に示すように、鉄塔本体１１０の上部に複数のアンテナ支持柱１０２を立設固定するための上側支持部１２１と下側支持部１２２とで構成されている。この上側支持部１２１および下側支持部１２２は、図２に示すように、Ｈ形鋼，山形鋼または溝形鋼からなる一対の腕金主材１２３，１２３を鉄塔本体１１０から横方向に突出させるようにして配置して、鉄塔本体１１０を構成する鋼管１１１の外周に固定されているアーム固定材１２４にボルトナットで固定されるとともに、一対の腕金主材１２３，１２３を連結するようにして、一対の腕金主材１２３，１２３の先端部に支持柱取付用ブラケット１２５が取り付けられて構成されている。なお、図２は上側支持部１２１の構造を示しているが、下側支持部１２２も上側支持部１２１と同じ構造である。
【００３２】  また、上側支持部１２１の支持柱取付用ブラケット１２５と下側支持部１２２の支持柱取付用ブラケット１２５とを介してアンテナ支持柱１０２が立設固定される。なお、図示していないが、通信用のアンテナは前記アンテナ支持柱１０２に設置される。
【００３３】  次に、図３および図４に示す単柱構造鉄塔のリング方式のアンテナ支持部について説明する。前記リング方式のアンテナ支持部１３０は、図３に示すように、鉄塔本体１１０の上部に複数のアンテナ支持柱１０２を立設固定するための上側支持部１３１と下側支持部１３２とで構成されている。この上側支持部１３１および下側支持部１３２は、図４に示すように、Ｈ形鋼，山形鋼または溝形鋼からなる接続部材１３３を鉄塔本体１１０の外周に放射状に配置して、鉄塔本体１１０を構成する鋼管１１１の外周に固定されているリング固定材１３４にボルトナットで固定されるとともに、接続部材１３３の先端部を円形に形成したリング部材１３５で連結して構成されている。なお、図４は上側支持部１３１の構造を示しているが、下側支持部１３２も上側支持部１３１と同じ構造である。
【００３４】  また、上側支持部１３１および下側支持部１３２のリング部材１３５には支持柱取付用ブラケット１３６が取り付けられており、この上側支持部１３１の支持柱取付用ブラケット１３６と下側支持部１３２の支持柱取付用ブラケット１３６とを介してアンテナ支持柱１０２が立設固定される。なお、図示していないが、通信用のアンテナは前記アンテナ支持柱１０２に設置される。
【００３５】  本発明の通信用鉄塔の塗装工事に用いられる吊り足場および養生ネット設置装置について説明する。まず、上記のアンテナ支持部１２０がアーム方式の単柱構造鉄塔１００に本発明の吊り足場および養生ネット設置装置を設置する場合について説明する。図５はアンテナ支持部がアーム方式の単柱構造鉄塔に設置された吊り足場の一例を示す正面図、図６はアンテナ支持部がアーム方式の単柱構造鉄塔に設置された吊り足場の一例を示す上面図、図７は図６のＢ−Ｂ線から見た吊り足場用フレームの正面図、図８は図５のＡ−Ａ線から見た吊り足場の平面図、図９は図８の吊り足場平面への床材の設置状態を示す平面図、図１０は床材の斜視図である。
【００３６】  本発明の吊り足場１および養生ネット設置装置は、複数の吊り足場用フレーム２と、複数の吊り足場用フレーム２を接続する上側接続部材３と、複数の吊り足場用フレーム２を接続する下側接続部材４と、下側接続部材４を介して設置される床材５と、略筒状の養生ネット６を通信用鉄塔の周囲に設置する装置７とで構成されている。
【００３７】  前記吊り足場用フレーム２は、上側水平材８と垂直材９と下側水平材１０とで構成されている。前記上側水平材８は、鉄塔本体１１０からアンテナ支持部１２０が突出する方向に対して直角方向で、アンテナ支持部１２０の上側支持部１２１を構成する部材の上面に配置され、Ｖボルトなどの固定具１１を用いて一対の腕金主材１２３に固定されている。また、前記上側水平材８は、両端が上側支持部１２１から水平方向に突出する長さに形成されている。
【００３８】  前記垂直材９は、一方の端部が上側水平材８の両端部付近に各々ボルトナットで接続されて、上側水平材８に対して鉛直方向に配置されている。また、前記垂直材９は、上側水平材８に接続されていない側の端部がアンテナ支持部１２０の下側支持部１２２より下方に突出する長さに形成されている。
【００３９】  また、前記垂直材９には、上側水平材８に接続されている側の端部付近に上側接続部材３と接続するための上側接続部材用の接続具１２が設けられており、上側水平材８に接続されていない側の端部付近には、下側接続部材４と接続するための下側接続部材用の接続具１３が設けられている。また、前記垂直材９には、必要に応じて、手摺材１５を接続するための手摺材用の接続具１４が１つ以上設けられている。前記上側接続部材用の接続具１２、下側接続部材用の接続具１３および手摺材用の接続具１４には、Ｕボルトやクランプが用いられる。
【００４０】  前記下側水平材１０は、上側水平材８の両端に接続されている一対の垂直材９において、上側水平材８に接続されていない側の端部同士を接続するように配置され、Ｕボルトやクランプなどの下側水平材用の接続具１６を用いて垂直材９に固定されている。
【００４１】  前記吊り足場用フレーム２は、１つのアンテナ支持部１２０に２つ以上の吊り足場フレーム２を所定の間隔を開けて設置される。なお、図５から図９に示すアンテナ支持部１２０がアーム方式の単柱構造鉄塔１００に設置された吊り足場１の例では、一方のアンテナ支持部１２０に２つの吊り足場フレーム２を設置し、もう一方のアンテナ支持部１２０に２つの吊り足場フレーム２を設置した状態を示している。
【００４２】  前記上側接続部材３は、複数の吊り足場用フレーム２，２，・・・を接続するようにして、各吊り足場用フレーム２，２，・・・の垂直材９，９，・・・に設けられた上側接続部材用の接続具１２を介して設置される。また、前記上側接続部材３の長さは、２つのアンテナ支持部１２０，１２０（図６において左右のアンテナ支持部）の支持柱取付用ブラケット１２５，１２５間の距離よりも長く形成されている。
【００４３】  前記下側接続部材４は、複数の吊り足場用フレーム２，２，・・・を接続するようにして、各吊り足場用フレーム２，２，・・・の垂直材９，９，・・・に設けられた下側接続部材用の接続具１３を介して設置される。また、前記下側接続部材４の長さは、２つのアンテナ支持部１２０，１２０（図６において左右のアンテナ支持部）の支持柱取付用ブラケット１２５，１２５間の距離よりも長く、上側接続部材３と同じ長さに形成されている。
【００４４】  前記床材５は、図１０に示すように、床材用水平材１８を所定の間隔を開けて平行に並べ、その床材用水平材１８の両端部を床材用横架材１９によって接続し、床材用水平材１８と床材用横架材１９とで囲まれた範囲にエキスパンドメタルやパンチングメタルなどの鋼板２１を張設して構成されている。また、前記床材用横架材１９には、２つ以上の係止用フック２０が取り付けられており、この係止用フック２０を介して、吊り足場用フレーム２の一方の垂直材９に接続されている下側接続部材４と、もう一方の垂直材９に接続されている下側接続部材４とに床材５を掛け渡すことで、下側接続部材間４に床材５が敷設される。
【００４５】  吊り足場１には、必要に応じて手摺材１５が設置される。手摺材１５には、吊り足場用フレーム２の垂直材９に取り付けられる第１手摺材１５ａと、上側接続部材３に取り付けられる第２手摺材１５ｂと、第１手摺材１５ａに取り付けられる第３手摺材１５ｃと、下側接続部材４に取り付けられる第４手摺材１５ｄとがある。第１手摺材１５ａは、複数の吊り足場用フレーム２，２，・・・の垂直材９，９，・・・に設けられた手摺材用の接続具１４を介して、複数の吊り足場用フレーム２，２，・・・を接続するようにして設置される。また、第１手摺材１５ａの長さは、２つのアンテナ支持部１２０，１２０（図６において左右のアンテナ支持部）の支持柱取付用ブラケット１２５，１２５間の距離よりも長く、上側接続部材３および下側接続部材４と同じ長さに形成されている。第２手摺材１５ｂは、吊り足場用フレーム２の一方の垂直材９に接続されている上側接続部材３の端部と、もう一方の垂直材９に接続されている上側接続部材３の端部とを接続するようにして設置される。なお、上側接続部材３と第２手摺材１５ｂとの接続には、自在クランプなどの接続具１７が用いられる。第３手摺材１５ｃは、吊り足場用フレーム２の一方の垂直材９に接続されている第１手摺材１５ａの端部と、もう一方の垂直材９に接続されている第１手摺材１５ａの端部とを接続するようにして設置される。なお、第１手摺材１５ａと第３手摺材１５ｃとの接続には、自在クランプなどの接続具１７が用いられる。第４手摺材１５ｄは、吊り足場用フレーム２の一方の垂直材９に接続されている下側接続部材４の端部と、もう一方の垂直材９に接続されている下側接続部材４の端部とを接続するようにして設置される。なお、下側接続部材４と第４手摺材１５ｄとの接続には、自在クランプなどの接続具１７が用いられる。
【００４６】  前記略筒状の養生ネット６を通信用鉄塔の周囲に設置する装置７は、通信用鉄塔の周囲に設置される略筒状の養生ネット６と、アンテナ支持部１２０の上側支持部１２１を構成する部材の上面に設置される養生ネット用水平材２２と、養生ネット用水平材２２の両端に設置される滑車２３と、通信用鉄塔の基部付近に設置されるウインチ２６とを有している。図１１は略筒状の養生ネット６をアンテナ支持部１２０がアーム方式の単柱構造鉄塔１００の周囲に設置する装置７の一例を示す上面図、図１２は図１１のＣ−Ｃ線から見た養生ネット用水平材２２の正面図、図１３は図１１のＣ−Ｃ線から見た養生ネット６の設置状態を示す正面図、図１４は図１１のＤ−Ｄ線から見た養生ネット６の設置状態を示す正面図である。
【００４７】  前記養生ネット用水平材２２は、鉄塔本体１１０からアンテナ支持部１２０が突出する方向に対して直角方向で、アンテナ支持部１２０の上側支持部１２１を構成する部材の上面に配置され、Ｖボルトなどの固定具１１を用いて一対の腕金主材１２３に固定されている。前記養生ネット用水平材２２の長さは、両端が上側支持部１２１から水平方向に突出する長さで、養生ネット用水平材２２から垂下する養生ネット６の外径に応じた長さに形成されている。また、前記養生ネット用水平材２２の両端には、滑車接続具２５を介して滑車２３が設置されている。
【００４８】  前記養生ネット６は、略筒状に形成されており、通信用鉄塔の外周を覆って、養生ネット６の中で塗装作業を行うことができる大きさに形成されている。前記養生ネット６は、上端部にワイヤー２４が固定されており、前記ワイヤー２４は養生ネット用水平材２２の両端に設置されている滑車２３を介して、通信用鉄塔の基部付近に設置されているウインチ２６に巻き付けられている。これにより、前記ワイヤー２４をウインチ２６により引き出しまたは巻き取りすることで、養生ネット６が通信用鉄塔に沿って昇降自在に設置される。
【００４９】  略筒状の養生ネット６を通信用鉄塔の周囲に設置するには、ワイヤー２４をウインチ２６により巻き取って、養生ネット６の上端部を通信用鉄塔の下部から上方に向けて上昇させ、養生ネット６を吊り足場１の直ぐ下の位置まで上昇させることにより、養生ネット６を通信用鉄塔に沿って垂下させて設置される。
【００５０】  通信用鉄塔の鉄塔本体１１０の塗装工事を行う場合、図１４に示すように、通信用鉄塔の周囲に設置した養生ネット６の中で、アンテナ支持部１２０の下側支持部１２２を構成する部材から吊り下げられた作業用ワイヤー２８を通信用鉄塔に沿って垂下させ、この作業用ワイヤー２８にチェア型ゴンドラ２７を固着し、前記作業用ワイヤー２８によってチェア型ゴンドラ２７を昇降させて作業を行う。なお、前記チェア型ゴンドラ２７の代わりにチェアハーネスを用いてもかまわない。
【００５１】  次に、アンテナ支持部１３０がリング方式の単柱構造鉄塔１００に本発明の吊り足場および養生ネット設置装置を設置する場合について説明する。図１５はアンテナ支持部がリング方式の単柱構造鉄塔に設置された吊り足場の一例を示す正面図、図１６はアンテナ支持部がリング方式の単柱構造鉄塔に設置された吊り足場の一例を示す上面図、図１７は図１６のＦ−Ｆ線から見た吊り足場用フレームの正面図、図１８は図１５のＥ−Ｅ線から見た吊り足場の平面図、図１９は図１８の吊り足場平面への床材の設置状態を示す平面図である。
【００５２】  アンテナ支持部１３０がリング方式の単柱構造鉄塔１００に設置される吊り足場１および養生ネット設置装置は、アーム方式のアンテナ支持部１２０に設置される吊り足場１および養生ネット設置装置と同様に、複数の吊り足場用フレーム２と、複数の吊り足場用フレーム２を接続する上側接続部材３と、複数の吊り足場用フレーム２を接続する下側接続部材４と、下側接続部材４を介して設置される床材５と、略筒状の養生ネット６を通信用鉄塔の周囲に設置する装置７とで構成されている。
【００５３】  前記吊り足場用フレーム２は、上側水平材８と垂直材９と下側水平材１０とで構成されている。前記上側水平材８は、アンテナ支持部１３０の上側支持部１３１を構成する部材の上面に配置され、Ｖボルトなどの固定具１１を用いて接続部材１３３またはリング部材１３５に固定されている。また、前記上側水平材８は、アンテナ支持部１３０の外径よりも長く、両端が上側支持部１３１から水平方向に突出する長さに形成されている。
【００５４】  前記垂直材９は、一方の端部が上側水平材８の両端部付近に各々ボルトナットで接続されて、上側水平材８に対して鉛直方向に配置されている。また、前記垂直材９は、上側水平材８に接続されていない側の端部がアンテナ支持部１３０の下側支持部１３２より下方に突出する長さに形成されている。
【００５５】  また、前記垂直材９には、上側水平材８に接続されている側の端部付近に上側接続部材３と接続するための上側接続部材用の接続具１２が設けられており、上側水平材８に接続されていない側の端部付近には、下側接続部材４と接続するための下側接続部材用の接続具１３が設けられている。また、前記垂直材９には、必要に応じて、手摺材１５を接続するための手摺材用の接続具１４が１つ以上設けられている。前記上側接続部材用の接続具１２、下側接続部材用の接続具１３および手摺材用の接続具１４には、Ｕボルトやクランプが用いられる。
【００５６】  前記下側水平材１０は、上側水平材８の両端に接続されている一対の垂直材９において、上側水平材８に接続されていない側の端部同士を接続するように配置され、Ｕボルトやクランプなどの下側水平材用の接続具１６を用いて垂直材９に固定されている。
【００５７】  前記吊り足場用フレーム２は、１つのアンテナ支持部１３０に２つ以上の吊り足場フレーム２を所定の間隔を開けて設置される。なお、図１５から図１９に示すアンテナ支持部１３０がリング方式の単柱構造鉄塔１００に設置された吊り足場１の例では、アンテナ支持部１３０に４つの吊り足場フレーム２を設置した状態を示している。
【００５８】  前記上側接続部材３は、複数の吊り足場用フレーム２，２，・・・を接続するようにして、各吊り足場用フレーム２，２，・・・の垂直材９，９，・・・に設けられた上側接続部材用の接続具１２を介して設置される。また、前記上側接続部材３の長さは、アンテナ支持部１３０の外径よりも長く形成されている。
【００５９】  前記下側接続部材４は、複数の吊り足場用フレーム２，２，・・・を接続するようにして、各吊り足場用フレーム２，２，・・・の垂直材９，９，・・・に設けられた下側接続部材用の接続具１３を介して設置される。また、前記下側接続部材４の長さは、アンテナ支持部１３０の外径よりも長く、上側接続部材３と同じ長さに形成されている。
【００６０】  吊り足場１には、必要に応じて手摺材１５が設置される。手摺材１５には、吊り足場用フレーム２の垂直材９に取り付けられる第１手摺材１５ａと、上側接続部材３に取り付けられる第２手摺材１５ｂと、第１手摺材１５ａに取り付けられる第３手摺材１５ｃと、下側接続部材４に取り付けられる第４手摺材１５ｄとがある。第１手摺材１５ａは、複数の吊り足場用フレーム２，２，・・・の垂直材９，９，・・・に設けられた手摺材用の接続具１４を介して、複数の吊り足場用フレーム２，２，・・・を接続するようにして設置される。また、第１手摺材１５ａの長さは、アンテナ支持部１３０の外径よりも長く、上側接続部材３および下側接続部材４と同じ長さに形成されている。第２手摺材１５ｂは、吊り足場用フレーム２の一方の垂直材９に接続されている上側接続部材３の端部と、もう一方の垂直材９に接続されている上側接続部材３の端部とを接続するようにして設置される。なお、上側接続部材３と第２手摺材１５ｂとの接続には、自在クランプなどの接続具１７が用いられる。第３手摺材１５ｃは、吊り足場用フレーム２の一方の垂直材９に接続されている第１手摺材１５ａの端部と、もう一方の垂直材９に接続されている第１手摺材１５ａの端部とを接続するようにして設置される。なお、第１手摺材１５ａと第３手摺材１５ｃとの接続には、自在クランプなどの接続具１７が用いられる。第４手摺材１５ｄは、吊り足場用フレーム２の一方の垂直材９に接続されている下側接続部材４の端部と、もう一方の垂直材９に接続されている下側接続部材４の端部とを接続するようにして設置される。なお、下側接続部材４と第４手摺材１５ｄとの接続には、自在クランプなどの接続具１７が用いられる。
【００６１】  また、下側接続部材４の一方の端部に接続されている第４手摺材１５ｄの中央部付近と、もう一方の端部に接続されている第４手摺材１５ｄの中央部付近とを接続するようにして、複数の床材設置用部材２９が設置される。また、前記床材設置用部材２９は、複数の吊り足場用フレーム２，２，・・・の下側水平材１０と接続されている。なお、床材設置用部材２９と第４手摺材１５ｄとの接続、および床材設置用部材２９と下側水平材１０との接続には、自在クランプなどの接続具１７が用いられる。
【００６２】  前記床材５は、図１０に示すように、床材用水平材１８を所定の間隔を開けて平行に並べ、その床材用水平材１８の両端部を床材用横架材１９によって接続し、床材用水平材１８と床材用横架材１９とで囲まれた範囲にエキスパンドメタルやパンチングメタルなどの鋼板２１を張設して構成されている。また、前記床材用横架材１９には、２つ以上の係止用フック２０が取り付けられており、この係止用フック２０を介して、吊り足場用フレーム２の垂直材９に接続されている下側接続部材４と、床材設置用部材２９とに床材５を掛け渡すことで、下側接続部材間４に床材５が敷設される。
【００６３】  前記略筒状の養生ネット６を通信用鉄塔の周囲に設置する装置７は、通信用鉄塔の周囲に設置される略筒状の養生ネット６と、アンテナ支持部１３０の上側支持部１３１を構成する部材の上面に設置される養生ネット用水平材２２と、養生ネット用水平材２２の両端に設置される滑車２３と、通信用鉄塔の基部付近に設置されるウインチ２６とを有している。図２０は略筒状の養生ネット６をアンテナ支持部１３０がリング方式の単柱構造鉄塔１００の周囲に設置する装置７の一例を示す上面図、図２１は図２０のＧ−Ｇ線から見た養生ネット用水平材２２の正面図、図２２は図２０のＧ−Ｇ線から見た養生ネット６の設置状態を示す正面図、図２３は図２０のＨ−Ｈ線から見た養生ネット６の設置状態を示す正面図である。
【００６４】  前記養生ネット用水平材２２は、アンテナ支持部１３０の上側支持部１３１を構成する部材の上面に配置され、Ｖボルトなどの固定具１１を用いて接続部材１３３またはリング部材１３５に固定されている。前記養生ネット用水平材２２の長さは、両端が上側支持部１３１から水平方向に突出する長さで、養生ネット用水平材２２から垂下する養生ネット６の外径に応じた長さに形成されている。また、養生ネット用水平材２２の両端には、滑車接続具２５を介して滑車２３が設置されている。
【００６５】  前記養生ネット６は、略筒状に形成されており、通信用鉄塔の外周を覆って、養生ネット６の中で塗装作業を行うことができる大きさに形成されている。前記養生ネット６は、上端部にワイヤー２４が固定されており、前記ワイヤー２４は養生ネット用水平材２２の両端に設置されている滑車２３を介して、通信用鉄塔の基部付近に設置されているウインチ２６に巻き付けられている。これにより、前記ワイヤー２４をウインチ２６により引き出しまたは巻き取りすることで、養生ネット６が通信用鉄塔に沿って昇降自在に設置される。
【００６６】  略筒状の養生ネット６を通信用鉄塔の周囲に設置するには、ワイヤー２４をウインチ２６により巻き取って、養生ネット６の上端部を通信用鉄塔の下部から上方に向けて上昇させ、養生ネット６を吊り足場１の直ぐ下の位置まで上昇させることにより、養生ネット６を通信用鉄塔に沿って垂下させて設置される。
【００６７】  通信用鉄塔の鉄塔本体１１０の塗装工事を行う場合、図２３に示すように、通信用鉄塔の周囲に設置した養生ネット６の中で、アンテナ支持部１３０の下側支持部１３２を構成する部材から吊り下げられた作業用ワイヤー２８を通信用鉄塔に沿って垂下させ、この作業用ワイヤー２８にチェア型ゴンドラ２７を固着し、前記作業用ワイヤー２８によってチェア型ゴンドラ２７を昇降させて作業を行う。なお、前記チェア型ゴンドラ２７の代わりにチェアハーネスを用いてもかまわない。
【００６８】  上記の構成により、本発明の通信用鉄塔の塗装工事に用いられる吊り足場１および養生ネット設置装置は、吊り足場１を通信用鉄塔のアンテナ支持部１２０，１３０に直接設置するため、通信用鉄塔の下部で組み立てられた吊り足場１をアンテナ支持部１２０，１３０の直ぐ下の位置まで上昇させる必要がなく、吊り足場１自体を昇降させるための大型のウインチやワイヤー等の昇降設備が不要となることから、昇降設備が大掛かりとならず、吊り足場１の設置や解体に手間がかからず容易に行うことができる。
【００６９】  また、通信用鉄塔の下部で組み立てられた吊り足場をアンテナ支持部１２０，１３０の直ぐ下の位置まで上昇させて設置するのではなく、吊り足場１を通信用鉄塔のアンテナ支持部１２０，１３０に直接設置することから、吊り足場１の幅を通信用鉄塔の下部の塔体幅よりも広くする必要がないため、吊り足場１を構成する部材の数が多くなったり、部材サイズが大きくなることがなく、吊り足場１の設置や解体に手間がかからず容易に行うことができる。
【００７０】  また、通信用鉄塔のアンテナ支持部１２０，１３０に取り付けられた養生ネット用水平材２２から垂下させた養生ネット６は、養生ネット６の上端部に固定されているワイヤー２４が、養生ネット用水平材２２の両端に設置されている滑車２３を介してウインチ２６に巻き付けられており、前記ワイヤー２４をウインチ２６により引き出しまたは巻き取りすることで、養生ネット６を通信用鉄塔に沿って昇降自在に設けているので、養生ネット６を通信用鉄塔に対して任意の高さに容易に設置することができる。
【００７１】  さらに、養生ネット６は、通信用鉄塔のアンテナ支持部１２０，１３０に取り付けられた養生ネット用水平材２２から垂下するようにしたから、養生ネット６の外径に合わせて吊り足場１の幅を設定する必要はなく、養生ネット６の外径に合わせて養生ネット用水平材２２の長さを設定すればよい。したがって、養生ネット６の外径に合わせて吊り足場１の幅を大きくする必要がないことから、吊り足場１を構成する部材の数が多くなったり、部材サイズが大きくなることがないため、吊り足場１の設置や解体に手間がかからず容易に行うことができる。
【００７２】  また、本発明の通信用鉄塔の塗装工事に用いられる吊り足場１および養生ネット設置装置は、複数の吊り足場用フレーム２と、複数の吊り足場用フレーム２を接続する上側接続部材３と、複数の吊り足場用フレーム２を接続する下側接続部材４と、下側接続部材４を介して設置される床材５と、略筒状の養生ネット６を通信用鉄塔の周囲に設置する装置７とで構成されており、簡単な構成であることから、吊り足場１および養生ネット設置装置の設置や解体に手間がかからず容易に行うことができる。また、通信用鉄塔のアンテナ支持部１２０，１３０に直接設置した吊り足場１の上を作業者が乗ったり歩いたりできるので、アンテナ支持部１２０，１３０の塗装作業やチェア型ゴンドラ２７の作業用ワイヤー２８の調整ができ、通信用鉄塔の塗装作業を円滑に行うことができる。
【００７３】  上記の説明では、アンテナ支持部１２０，１３０がアーム方式およびリング方式の単柱構造鉄塔１００に本発明の通信用鉄塔の塗装工事に用いられる吊り足場１および養生ネット設置装置を設置した場合について説明したが、鉄塔本体１１０の構造がトラス構造およびラーメン構造の場合においても、同様の構成で本発明の吊り足場１および養生ネット設置装置を設置することができる。また、アンテナ支持部１２０，１３０が複数段設置されている通信用鉄塔においても、同様の構成で下段のアンテナ支持部１２０，１３０より上方のアンテナ支持部１２０，１３０に本発明の吊り足場１および養生ネット設置装置を設置することができる。例として、アンテナ支持部１３０がリング方式のトラス構造鉄塔１０１に本発明の吊り足場１および養生ネット設置装置を設置する場合について説明する。図２４は、リング方式のアンテナ支持部が２段設置されているトラス構造鉄塔への吊り足場および養生ネットの設置状態を示す正面図である。
【００７４】  図２４に示すように、まず、上段のアンテナ支持部１３０に複数の吊り足場用フレーム２を設置する。次に、前記複数の吊り足場用フレーム２，２，・・・を接続するようにして、各吊り足場用フレーム２，２，・・・の垂直材９，９，・・・に設けられた上側接続部材用の接続具１２を介して上側接続部材３を設置し、複数の吊り足場用フレーム２，２，・・・を接続するようにして、各吊り足場用フレーム２，２，・・・の垂直材９，９，・・・に設けられた下側接続部材用の接続具１３を介して下側接続部材４を設置する。次に、床材５を下側接続部材間４に敷設して、上段のアンテナ支持部１３０に本発明の吊り足場１が設置される。
【００７５】  次に、略筒状の養生ネット６を通信用鉄塔の周囲に設置する装置７を設置する。まず、両端に滑車２３が設置されている前記養生ネット用水平材２２を、上段のアンテナ支持部１３０の上側支持部１３１を構成する部材の上面に設置する。略筒状の養生ネット６の上端部に固定されているワイヤー２４を養生ネット用水平材２２の両端に設置されている滑車２３を介して、通信用鉄塔の基部付近に設置されているウインチ２６に巻き付けて、本発明の養生ネット設置装置が設置される。これにより、前記ワイヤー２４をウインチ２６により引き出しまたは巻き取りすることで、養生ネット６が通信用鉄塔に沿って昇降自在に設置される。
【００７６】  略筒状の養生ネット６を通信用鉄塔の周囲に設置するには、ワイヤー２４をウインチ２６により巻き取って、養生ネット６の上端部を通信用鉄塔の上方に向けて上昇させ、養生ネット６を上段のアンテナ支持部１３０に設置した吊り足場１の直ぐ下の位置まで上昇させることにより、養生ネット６を通信用鉄塔に沿って垂下させて設置される。なお、通信用鉄塔に沿って垂下させる養生ネット６は、上段のアンテナ支持部１３０と下段のアンテナ支持部１３０の間に設置することができ、また、養生ネット６の外径を下段のアンテナ支持部１３０の外径よりも大きくすることで、上段のアンテナ支持部１３０に設置した吊り足場１の直ぐ下の位置から通信用鉄塔の下部までの間に設置することもできる。
【００７７】  上記の構成により、本発明の通信用鉄塔の塗装工事に用いられる吊り足場１および養生ネット設置装置は、通信用鉄塔の下部で組み立てた吊り足場１をアンテナ支持部１２０，１３０の直ぐ下の位置まで上昇させて設置するのではなく、吊り足場１を通信用鉄塔の上段のアンテナ支持部１２０，１３０に直接設置するため、アーム方式およびリング方式のアンテナ支持部１２０，１３０が複数段設置されている通信用鉄塔においても、アンテナ支持部１２０，１３０を解体し撤去することなく、下段のアンテナ支持部１２０，１３０よりも上方に設置することができる。
【符号の説明】
【００７８】    １    吊り足場
２    吊り足場用フレーム
３    上側接続部材
４    下側接続部材
５    床材
６    養生ネット
７    略筒状の養生ネットを通信用鉄塔の周囲に設置する装置
８    上側水平材
９    垂直材
１０    下側水平材
１１    固定具
１２    上側接続部材用の接続具
１３    下側接続部材用の接続具
１４    手摺材用の接続具
１５    手摺材
１５ａ  第１手摺材
１５ｂ  第２手摺材
１５ｃ  第３手摺材
１５ｄ  第４手摺材
１６    下側水平材用の接続具
１７    接続具
１８    床材用水平材
１９    床材用横架材
２０    係止用フック
２１    鋼板
２２    養生ネット用水平材
２３    滑車
２４    ワイヤー
２５    滑車接続具
２６    ウインチ
２７    チェア型ゴンドラ
２８    作業用ワイヤー
２９    床材設置用部材
１００    単柱構造鉄塔
１０１    トラス構造鉄塔
１０２    アンテナ支持柱
１１０    鉄塔本体
１１１    鋼管
１１２    フランジ部
１２０    アーム方式のアンテナ支持部
１２１    上側支持部
１２２    下側支持部
１２３    腕金主材
１２４    アーム固定材
１２５    支持柱取付用ブラケット
１３０    リング方式のアンテナ支持部
１３１    上側支持部
１３２    下側支持部
１３３    接続部材
１３４    リング固定材
１３５    リング部材
１３６    支持柱取付用ブラケット
【図１】
2016089601.tif 000003
【図２】
2016089601.tif 000004
【図３】
2016089601.tif 000005
【図４】
2016089601.tif 000006
【図５】
2016089601.tif 000007
【図６】
2016089601.tif 000008
【図７】
2016089601.tif 000009
【図８】
2016089601.tif 000010
【図９】
2016089601.tif 000011
【図１０】
2016089601.tif 000012
【図１１】
2016089601.tif 000013
【図１２】
2016089601.tif 000014
【図１３】
2016089601.tif 000015
【図１４】
2016089601.tif 000016
【図１５】
2016089601.tif 000017
【図１６】
2016089601.tif 000018
【図１７】
2016089601.tif 000019
【図１８】
2016089601.tif 000020
【図１９】
2016089601.tif 000021
【図２０】
2016089601.tif 000022
【図２１】
2016089601.tif 000023
【図２２】
2016089601.tif 000024
【図２３】
2016089601.tif 000025
【図２４】
2016089601.tif 000026